(57)【要約】【課題】樹木の支持施工方法と、その支持施工方法において使用される樹木支持具に関し、樹木の支持固定状態を外部から確認することができ、また支持施工のための支持具の部品点数を削減することができ、しかも樹木の支持施工のための作業が従来に比べて著しく容易となり、その作業に従来ほどの熟練した造園技術を要することがない樹木の支持施工方法を提供することを課題とする。【解決手段】両端部に開口部を有する複数のパイプ杆に、それぞれスライド杆がスライド自在に挿通され、該スライド杆に立ち上がり支持杆の下部が移動可能に取り付けられているとともに、該スライド杆にそれぞれ取り付けられた複数の立ち上がり支持杆の上部が収束されて構成された樹木の支持具の、前記パイプ杆に根鉢を載置し、前記複数の立ち上がり支持杆の収束部分に樹木の幹部を固定して施工することを特徴とする。【選択図】    図１１
2004254644.tif 000002
【特許請求の範囲】
【請求項１】
両端部に開口部（４），（４）  を有する複数のパイプ杆（２）  に、それぞれスライド杆（３）  がスライド自在に挿通され、該スライド杆（３）  に立ち上がり支持杆（９）  の下部が移動可能に取り付けられているとともに、該スライド杆（３）  にそれぞれ取り付けられた複数の立ち上がり支持杆（９）  の上部が収束されて構成された樹木の支持具の、前記パイプ杆（２）  に根鉢（１４）を載置し、前記複数の立ち上がり支持杆（９）  の収束部分に樹木（１５）の幹部（１６）を固定して施工することを特徴とする樹木の支持施工方法。
【請求項２】
予め地面に形成された植穴（５）  内に根鉢（１４）を収納するとともに、該植穴（１４）を土等により閉塞して樹木を植設する樹木の支持施工方法において、両端部に開口部（４），（４）  を有する複数のパイプ杆（２）  に、それぞれスライド杆（３）  がスライド自在に挿通され、該スライド杆（３）  に立ち上がり支持杆（９）  の下部が移動可能に取り付けられているとともに、該スライド杆（３）  にそれぞれ取り付けられた複数の立ち上がり支持杆（９）  の上部が収束されて構成された樹木の支持具の、前記パイプ杆（２）  に根鉢（１４）を載置し、前記複数の立ち上がり支持杆（９）  の収束部分に樹木（１５）の幹部（１６）を固定して施工することを特徴とする樹木の支持施工方法。
【請求項３】
両端部に開口部（４），（４）  を有する複数のパイプ杆（２）  に、それぞれスライド杆（３）  がスライド自在に挿通され、該スライド杆（３）  に立ち上がり支持杆（９）  の下部が移動可能に取り付けられているとともに、該スライド杆（３）  にそれぞれ取り付けられた複数の立ち上がり支持杆（９）  の上部が収束されて、該立ち上がり支持杆（９）  の収束部分で樹木（１５）の幹部（１６）が固定可能に構成されていることを特徴とする樹木の支持具。
【請求項４】
スライド杆（３）  の先端に抵抗板（８）  が設けられている請求項３記載の樹木の支持具。
【請求項５】
３本のパイプ杆（２），…で平面略三角形状に形成されてなる請求項３又は４記載の樹木の支持具。
【発明の詳細な説明】
【０００１】
【発明の属する技術分野】
本発明は、樹木の支持施工方法と、その支持施工方法に使用される樹木の支持具、さらに詳しくは、公園，舗道，その他博覧会場等で、人為的に植設される樹木を支持しながら施工するための樹木の支持施工方法と、その支持施工方法において使用される樹木支持具に関する。
【０００２】
【従来の技術】
従来より、樹木を支持施工する技術として多くの技術が開発されており、その中でたとえば下記特許文献１及び２のような技術がある。
【０００３】
【特許文献１】
特許第２７１９９０３  号公報
【特許文献２】
特開平９−１０７８２１号公報
【０００４】
特許文献１は、樹木の根元部の周囲にワイヤーロープや結合ロープを配置するとともに、そのワイヤーロープや結合ロープを結合板に結合し、結合板は根鉢の肩部に当て、さらに結合板に結合杆を結合し、結合杆を地中に打ち込んで根鉢を支持施工する技術である。
【０００５】
また、特許文献２も、樹木の根元部の周囲にワイヤーロープや結合ロープを配置するとともに、そのワイヤーロープや結合ロープを結合板（多孔板）に結合し、多孔板は根鉢の肩部に当てる点で上記特許文献１の技術と共通するものであるが、特許文献２では、地中に打ち込む結合杆を用いず、抵抗体の上に根鉢を載置し、その抵抗体に連結環を介してワイヤーロープを取り付けている。
【０００６】
【発明が解決しようとする課題】
しかし、上記特許文献１や特許文献２のような従来の樹木の支持施工技術は、結合杆を地中に打ち込み或いは抵抗体の上に根鉢を載置し、またいずれの場合も根鉢の肩部に結合板（多孔板）を当て、さらにいずれの場合もワイヤーロープや結合ロープを根鉢に掛け回すとともに、そのワイヤーロープ等をウインチ等の締め付け具で締め付ける必要があり、その樹木の支持施工のための作業に手間がかかるという問題点があった。
【０００７】
また、このような結合杆の打ち込み、抵抗体上への根鉢の載置、ワイヤーロープ等を根鉢に掛け回す作業、そのワイヤーロープ等を締め付ける作業等の一連の作業には熟練や専門的技術を要し、その技術の習得は決して容易なものではない。その一方で、近年においては、専門的な造園技術者は減少する傾向にあり、それ故に、上記のような問題点は決して無視できないものとなっている。
【０００８】
さらに、上記特許文献１及び２のいずれの場合であっても、樹木の支持用具の部品点数が多く、その削減が望まれている。
【０００９】
さらに、上記のように支持施工された樹木は、時間の経過とともに生育して樹根が伸長し、一定期間経過後には自立できるようになるので、上記のような支持用具で緊締している状態等をある程度解除する必要がある場合もある。
しかし、上記のような従来の技術は、打ち込まれる結合杆、抵抗体、根鉢の肩部の結合板（多孔板）、根鉢に掛け回されるワイヤーロープ等がすべて土で埋設された地下部分に存在するため、樹木がどの程度生育し、樹根がどの程度伸長し、それに伴い支持具による緊締状態等を解除する必要があるか否かを外部から判断することは必ずしも容易ではない。
【００１０】
ところで、支持施工された樹木には、風等により多大な力がかかり、上記のような支持用具での支持施工が十分でないと、樹木が傾倒するおそれがある場合もある。従って、上記のような問題点があったとしても、上記のような支持施工のための作業を省略することはできず、また支持具の部品点数を安易に削減することはできない。
【００１１】
しかし、樹木が大型のものではなく、たとえば幼木や苗木のように樹木が比較的小形のものの場合には、あえて上記特許文献１及び２のような支持施工技術を採用しなくとも、樹木の傾倒等を生じさせずに支持施工が可能となる場合もある。
【００１２】
本発明は、このような問題点を解決するためになされたもので、樹木の支持固定状態を外部から確認することができ、また支持施工のための支持具の部品点数を削減することができ、しかも樹木の支持施工のための作業が従来に比べて著しく容易となり、その作業に従来ほどの熟練した造園技術を要することがない樹木の支持施工方法を提供することを課題とする。
【００１３】
【課題を解決するための手段】
本発明は、このような課題を解決するために、樹木の支持施工方法と、その支持施工方法に使用される根鉢用支持具としてなされたもので、樹木の支持施工方法としての特徴は、両端部に開口部４，４を有する複数のパイプ杆２に、それぞれスライド杆３がスライド自在に挿通され、該スライド杆３に立ち上がり支持杆９の下部が移動可能に取り付けられているとともに、該スライド杆３にそれぞれ取り付けられた複数の立ち上がり支持杆９の上部が収束されて構成された樹木の支持具の、前記パイプ杆２に根鉢を載置し、前記複数の立ち上がり支持杆９の収束部分に樹木の幹部を固定して施工することである。
【００１４】
また、他の樹木の支持施工方法としての特徴は、予め地面に形成された植穴９内に根鉢１３を収納するとともに、該植穴９を土等により閉塞して樹木を植設する樹木の支持施工方法において、両端部に開口部４，４を有する複数のパイプ杆２に、それぞれスライド杆３がスライド自在に挿通され、該スライド杆３に立ち上がり支持杆９の下部が移動可能に取り付けられているとともに、該スライド杆３にそれぞれ取り付けられた複数の立ち上がり支持杆９の上部が収束されて構成された樹木の支持具の、前記パイプ杆２に根鉢を載置し、前記複数の立ち上がり支持杆９の収束部分に樹木の幹部を固定して施工することである。
【００１５】
さらに、根鉢用支持具としての特徴は、両端部に開口部４，４を有する複数のパイプ杆２に、それぞれスライド杆３がスライド自在に挿通され、該スライド杆３に立ち上がり支持杆９の下部が移動可能に取り付けられているとともに、該スライド杆３にそれぞれ取り付けられた複数の立ち上がり支持杆９の上部が収束されて、該立ち上がり支持杆９の収束部分で樹木の幹部が固定可能に構成されていることである。
【００１６】
スライド杆３の先端には、抵抗板８を設けることも可能である。
【００１７】
また、根鉢用支持具１は、たとえば３本のパイプ杆２，…で平面略三角形状に形成したものが用いられる。
【００１８】
【発明の実施の形態】
以下、本発明の実施形態について図面に従って説明する。
【００１９】
先ず、一実施形態としての樹木の支持具１の構成について説明するに、この支持具１は、図１に示すように、３本のパイプ杆２，…を、平面略三角形状に組み合わせて構成されている。
【００２０】
この場合、３本のパイプ杆２のうち、図３に示すように１本のパイプ杆２ａは水平に配設され、他のパイプ杆２ｂは、同図のようにその一端部が前記１本のパイプ杆２ａの端部の上面に位置するように水平に配設され、さらに他のパイプ杆２ｃは、同図のようにその一端部が前記パイプ杆２ａの端部の上面に位置するとともに、他端部が前記パイプ杆２ｂの端部の下面に位置するように、わずかに斜めに傾斜するように配設されている。
【００２１】
パイプ杆２は、図２及び図３に示すように、端面略四角筒状に形成され、各パイプ杆２，…の両端部には、開口部４，４が形成されている。そして各パイプ杆２は、隣接する２本のパイプ杆２，２の上面、下面等に、溶接によって固着されている。
【００２２】
そして、計３本配置されたパイプ杆２，…内には、それぞれスライド杆３，…がスライド自在に挿通されている。
また図示しないが、スライド杆３の先端部の上面側には打込杆挿着部が固着され、該打込杆挿着部内に、植穴の側壁面に打込可能な打込杆が挿着されている。
【００２３】
またパイプ杆２内に挿通されたスライド杆３の下面側には、嵩上部７を介して平面三角形状の抵抗板８が固着されている。
さらに、各スライド杆３には、異形鉄筋からなる立ち上がり支持杆９がそれぞれスライド杆３に対して移動可能に取り付けられている。
【００２４】
この立ち上がり支持杆９は、図４に示すように２箇所に湾曲部を有して側面が略くの字状に湾曲した形状からなり、上部は円弧状に湾曲されて巻締部１０が形成され、下部は略Ｌ字状に折り曲げられて連結部１１が形成されている。
【００２５】
そして、立ち上がり支持杆９の下部の連結部１１が、止め具１２を介してスライド杆３に移動可能に取り付けられることによって、３本の立ち上がり支持杆９が、それぞれスライド杆３に対して移動可能となるのである。
【００２６】
従って、本実施形態の樹木の支持具１は、パイプ杆２に対してスライド杆３がスライド自在であり、さらに立ち上がり支持杆９がスライド杆３に対して移動可能であるので、パイプ杆２に対してスライド杆３をスライドして支持具全体の径を拡張又は縮小して調整することができ、さらに、根鉢の大きさや樹木の幹部の位置等によって、立ち上がり支持杆９をスライド杆３に対して前後に若干移動させることで、立ち上がり支持杆９の位置を微調整することができるので、立ち上がり支持杆９の位置は、２段階的に調整することができるのである。
【００２７】
本実施形態の樹木の支持具１は、各パイプ杆２，…の両端部に開口部４，４が形成され、各パイプ杆２にスライド杆３が１本ずつ挿通されているため、スライド杆３は、パイプ杆２の全長分に近い距離にわたってスライドさせることができる。
この場合において、パイプ杆２の両端部には開口部４，４が形成されているため、スライド杆３は、パイプ杆２の略全長分スライドさせることができる。従って、樹木の支持具１の拡張寸法を大きくすることができ、根鉢の径に応じて根鉢用載置体１の寸法を設定することができる。
【００２８】
次に、上記のような樹木の支持具１を用いて樹木を支持施工する支持施工方法の実施形態について説明する。
【００２９】
先ず、図５及び図６に示すように予め形成された植穴５の底面６に樹木の支持具１を載置する。
【００３０】
次に、図７及び図８に示すように、上記のような樹木の支持具１の計３本のスライド杆３，  …を、それぞれ外向きにスライドさせて樹木の支持具１を拡張し、前記スライド杆３の先端部に固着された抵抗板８を植穴５の内壁面１３に打ち込む。また、図示しないが、打ち込み杆も同様に打ち込む。
【００３１】
このように抵抗板８等が植穴５の内壁面１３に打ち込まれて樹木の支持具１が固定された後、図９に示すようにその樹木の支持具上に根鉢１４を載置し、さらに、３本の立ち上がり支持杆９の上部に巻締部１０を形成し、その巻締部１０が形成された立ち上がり支持杆９の上部を収束させ、図１０に示すように、その収束部分に紐状の巻装具１８を巻装し、さらにその立ち上がり支持杆９の巻締部１０の収束部分と樹木１５の幹部１６とに跨がって金属製の止め具１７を外装着して止着する。
【００３２】
このように３本の立ち上がり支持杆９の上部は収束されて、その収束された部分を中心部として上記巻装具１８で固定され、さらに樹木１５の幹部１６は、上記のように固定された３本の立ち上がり支持杆９の収束部分に隣接して該立ち上がり支持杆９の収束部分とともに止め具１７で固定されるので、
立ち上がり支持杆９の収束部分の中心部と樹木１５の中心部とは偏心した状態でその外側から止め具１７で固定されることになるので、樹木１５は安定した状態で支持されることとなるのである。
【００３３】
また上記止め具１７は、図１０に示すように、樹木１５の幹部１６との間に隙間を形成しつつ該樹木１５の幹部１６に外嵌され、巻締部１０の収束部分には隙間を形成せずに外嵌される。そして、巻締部１０の収束部分に外嵌される止め具１７の部分１７ａと、樹木１５の幹部１６に外嵌される止め具１７の部分１７ｂとは、連結具１９によって連結されている。
【００３４】
そして、止め具１７と樹木１５の幹部１６との間に隙間を形成しつつ止め具１７を外嵌することで、樹木１５が成長して幹部１６が太くなっても、金属製の止め具１７が直ちに幹部１６に食い込むこともないのである。一方、止め具１７の内周面に接触する程度に樹木１５が成長し幹部１６が太くなれば、樹木１５は自立可能となり、止め具１７を外しても支障が生じない。このような樹木１５の成長の程度や幹部１６の太さ等も、その止め具１７が外嵌されている樹木１５の幹部１６や立ち上がり支持杆９の収束部分が地上に裸出しているので、止め具１７を外すべき時期を容易に判断することができるのである。
【００３５】
しかも、樹木自体は、その幹部１６において上記のような立ち上がり支持杆９の収束部分に固定されているだけであるので、上記のように樹木１５が生育して固定状態を解除する場合でも、上記のように地上部に裸出している止め具１７を外すことによって、容易に解除を行うことができる。
【００３６】
尚、止め具１７と樹木１５の幹部１６との間には隙間が存在するので、樹木１５が成長し幹部１６が太くなって止め具１７に接触するようになるまでは、風等によって樹木が揺動する場合もあるが、その場合でも止め具１７によって樹木が支持されるので、樹木が不用意に傾倒することもないのである。
【００３７】
このように、樹木１５の幹部１６とともに立ち上がり支持杆９の上部の収束部分を止め具１７で巻装して止着することによって、根鉢１４が固定されるとともに、樹木が支持されることとなる。この場合、収束される３本の立ち上がり支持杆９の収束部分が中央に位置して、樹木１５の幹部１６に当たらないように、立ち上がり支持杆９を予めスライド杆３に対して移動させ、上記収束部分の位置を中心から若干ずれるように微調整しておく必要がある。
【００３８】
以上のようにして根鉢１４を固定し、樹木１５の幹部１６を支持した後、図１１に示すように植穴５内に土２０等を埋めることによって、樹木の支持施工が完成する。
【００３９】
本実施形態においては、３本の立ち上がり支持杆９の上部の巻締部１０を収束させ、その収束部分を樹木１５の幹部１６とともに止め具１７で巻装して止着するだけの作業で、根鉢を固定するとともに樹木を支持することができるため、樹木の支持施工のための作業が従来に比べて著しく容易となった。
【００４０】
しかも、パイプ杆２、スライド杆３、抵抗板８等からなる載置部分と、立ち上がり支持杆９の２点の構成部材のみで、樹木を支持施工することができるので、支持具の部品点数も従来に比べて減少するという効果がある。
【００４１】
さらに、根鉢１４はパイプ杆２に単に載置されているだけであり、根鉢１４の固定及び樹木の支持は、地下部ではなく、上記のような立ち上がり支持杆９によって地上部でなされているため、樹木の成長によって、上記立ち上がり支持杆９とともに幹部を固定していることが不要となったか否か、すなわち樹木が自立可能となったか否かを外部から容易に判断することができる。
【００４２】
尚、上記実施形態においては、根鉢１４の載置部分が、３本のパイプ杆２，…で平面略三角形状に形成されていたが、根鉢１４の載置部分の形状やパイプ杆２の本数は該実施形態に限定されるものではなく、たとえば図１２に示すように、縦横にパイプ杆２を２本ずつ計４本配置して井桁状に組んで構成することにより、根鉢の載置部分が平面略四角形状になるように構成してもよい。
【００４３】
この場合には、同図に示すようにスライド杆３も４本となり、さらに立ち上がり支持杆９も４本となる。
【００４４】
この図１２の実施形態においても、スライド杆３は両端に開口部４，４を有するパイプ杆２に挿通されているため、パイプ杆２の略全長の寸法分の距離をスライドさせることができ、従って、図１３に示すようにスライド杆３を外向きにスライドさせることによって支持具１の寸法を元の寸法（図１２に示される）に比べて著しく拡張することができる。
【００４５】
しかも、本実施形態においても、立ち上がり支持杆９の収束部分が幹部とともに止め具等で固定されるので、上記図１等の実施形態と同様に、少ない部品点数で、地上部において根鉢の固定及び樹木の支持が可能となった。
【００４６】
尚、上記実施形態では、スライド杆３の先端部に抵抗板８を設け、その抵抗板８を植穴の内壁面に打ち込むことによって、樹木の支持具１を位置ずれさせることなく植穴の底壁面に確実に設置でき、また、このような抵抗板８をスライド杆３の下面側に固着することで、支持具１を安定した状態で植穴５の底壁面６に載置できるという好ましい効果が得られたが、このような抵抗板８を設けることも本発明において条件とはならない。
【００４７】
たとえば内壁面を押圧するような部材をスライド杆３に取付け、その部材で内壁面を押圧するだけでもよい。
【００４８】
さらに、該実施形態では、スライド杆３の下面側に取り付けられた抵抗板８が、平面略三角形状に形成されていたが、抵抗板８の形状はこれに限定されるものではなく、たとえば平面略五角形状等に形成されていてもよい。
【００４９】
さらに、上記実施形態では、パイプ杆２が断面略四角筒状に形成されていたが、パイプ杆２の断面形状はこれに限定されるものではなく、たとえば断面略円形状に形成されていてもよい。
【００５０】
また、パイプ杆２やスライド杆３は、主として金属製のものが用いられるが、金属以外の材質で構成することも可能である。
【００５１】
さらに、上記実施形態では、立ち上がり支持杆９として異形鉄筋で構成されたものを用いたが、立ち上がり支持杆９の材質はこれに限定されるものではなく、他の金属製のもの、或いは金属以外の材質のものを用いることも可能である。
【００５２】
ただし、上記実施形態のような異形鉄筋は樹木の幹部を固定するのに適した強度を有するとともに、安価であるため、本発明の立ち上がり支持杆９として用いるのに適した素材といえる。また、このような異形鉄筋は、建築現場等で使用済みのものを再利用することもできるので、コストの低廉化に一層寄与するとともに、建築現場等での廃材の有効利用も図れるという利点がある。
【００５３】
さらに、上記実施形態では、立ち上がり支持杆９が、２箇所に湾曲部を有して側面が略くの字状に湾曲した形状で構成されていたが、立ち上がり支持杆９の形状は該実施形態に限定されるものではなく、その形状は問わない。
【００５４】
さらに、上記実施形態では、止め具１７として、金属製のものを用いたが、
止め具１７の材質はこれに限定されるものではなく、合成樹脂や麻，白縄等の天然繊維のものであってもよく、またその形態も紐状、ベルト状等問わない。また、巻装具１８の材質も麻，白縄等の天然繊維のもの、合成樹脂製のものの他、金属製のものを使用することも可能である。
【００５５】
さらに、上記実施形態では、止め具１７と樹木１５の幹部１６との間に隙間を形成しつつ止め具１７を外嵌したため、上記のような好ましい効果が得られたが、このような隙間を形成することは本発明に必須の条件ではなく、合成樹脂や天然繊維からなる止め具１７であれば、樹木１５の幹部１６に接触するように巻装してもよい。
【００５６】
さらに、上記実施形態では、一般の地盤に予め形成された植穴内に根鉢を収納して樹木を支持施工する場合について説明したが、上記のような一般の地盤の他、たとえば屋上緑化を行う場合のように、人工地盤における樹木の支持施工に本発明を適用することも可能である。
【００５７】
このような人工地盤に用いる場合には、植穴の形成は必要なく、図１４に示すように、人工地盤２１上に、パイプ杆２、スライド杆３、立ち上がり支持杆９からなる支持具１を介して根鉢１４を載置し、さらに、図示しないが根鉢１４を埋設するよう人工土壌を積層することによって樹木の支持施工をすることができる。
【００５８】
【発明の効果】
以上のように、本発明は、両端部に開口部を有する複数のパイプ杆に、それぞれスライド杆がスライド自在に挿通され、該スライド杆に立ち上がり支持杆の下部が移動可能に取り付けられているとともに、該スライド杆にそれぞれ取り付けられた複数の立ち上がり支持杆の上部が収束されて構成された樹木の支持具の、前記パイプ杆に根鉢を載置し、前記複数の立ち上がり支持杆の収束部分に樹木の幹部を固定して施工するものであるため、立ち上がり支持杆の上部の収束部分を樹木の幹部とともに止め具等で固定するだけの作業で、根鉢を固定し且つ樹木を支持することができるため、従来のようにアンカー（結合杆）を地中に打ち込む作業、或いは根鉢の肩部にパット（結合板，多孔板）を当てる作業、根鉢にワイヤーロープや結合ロープ等を掛け回す作業、そのワイヤーロープ等をウインチ等の締付具で締め付ける作業等が不要となり、その樹木の支持施工のための作業が従来に比べて著しく容易になるという効果を得た。
【００５９】
また、このような熟練や専門的技術を要する一連の作業が不要となるので、専門的な造園技術者が減少した近年においても、簡易に作業することができる。
【００６０】
さらに、パイプ杆やスライド杆等からなる樹木の載置部分と、立ち上がり支持杆の２点の構成部材のみで樹木を支持施工することができるので、支持具の部品点数も従来に比べて削減することができるという効果がある。
【００６１】
さらに、根鉢はパイプ杆に単に載置されるだけで、根鉢の固定及び樹木の支持は、地下部ではなく、上記のような立ち上がり支持杆によって地上部でなされているため、樹木の成長によって、上記立ち上がり支持杆とともに幹部を固定することが不要となったか否か、すなわち樹木が自立可能となったか否かを外部から容易に判断することができ、樹木の生育程度に応じて緊締状態等を迅速に解除することができるという効果がある。
【００６２】
また、簡易な構成で樹木や根鉢を地上部で固定することができるので、たとえば幼木や苗木のように比較的小形の樹木の支持施工に好適に使用することができる。
【００６３】
さらに、土面への打込用の部材を必要としないので、従来の支持施工方法や支持具と比較しても、屋上緑化等の人工土壌により好適に使用することができるという利点がある。
【図面の簡単な説明】
【図１】一実施形態としての樹木の支持具の概略平面図。
【図２】同概略斜視図。
【図３】パイプの配置状態の概略斜視図。
【図４】立ち上がり支持杆の側面図。
【図５】樹木の支持具を植穴の底壁面に載置した状態の一部断面概略平面図。
【図６】同植穴の底壁面に載置した状態の一部断面側面図。
【図７】スライド杆をスライドさせ、抵抗板を側壁面に打ち込む工程の一部断面概略平面図。
【図８】同抵抗板を側壁面に打ち込む工程の一部断面側面図。
【図９】支持具に根鉢を載置し、立ち上がり支持杆で幹部を固定した状態の一部断面側面図。
【図１０】止め具で樹木の幹部及び立ち上がり支持杆の収束部分を止着した状態の断面図。
【図１１】植穴を土で閉塞した状態の一部断面側面図。
【図１２】他実施形態の支持具の概略平面図。
【図１３】同スライド杆をスライドさせて支持具を拡張した状態を示す概略平面図。
【図１４】他実施形態の一部断面側面図。
【符号の説明】
１…樹木の支持具          ２…パイプ杆
３…スライド杆            ９…立ち上がり支持杆
【図１】
2004254644.tif 000003
【図２】
2004254644.tif 000004
【図３】
2004254644.tif 000005
【図４】
2004254644.tif 000006
【図５】
2004254644.tif 000007
【図６】
2004254644.tif 000008
【図７】
2004254644.tif 000009
【図８】
2004254644.tif 000010
【図９】
2004254644.tif 000011
【図１０】
2004254644.tif 000012
【図１１】
2004254644.tif 000013
【図１２】
2004254644.tif 000014
【図１３】
2004254644.tif 000015
【図１４】
2004254644.tif 000016